(57)【要約】      （修正有）【課題】構成を簡素に抑えつつソーラーパネルの向き及び照明部からの照射方向をそれぞれ変更可能として、設置条件の自由度を向上させたセンサーライトを提供する。【解決手段】照射面２ａとする照明部２と、照明部２の背面に位置するソーラーパネル３と、センサー１３を有し照明部２を回動自在に保持する本体１と、照明部２にソーラーパネル３を支持する支持体とからなるセンサーライトである。支持体は、ソーラーパネル３を照明部２の背面に接合する接合位置と、照明部２の背面から離脱して支持体のみにより支持される離脱位置とに接離可能に支持する。【選択図】図２
0003225475.tif 000002
【実用新案登録請求の範囲】
【請求項１】
照射面とする照明部と、前記照明部の背面に位置するソーラーパネルと、センサーを有し前記照明部を回動自在に保持する本体と、前記照明部に前記ソーラーパネルを支持する支持体とからなるセンサーライトであって、
前記支持体は、前記ソーラーパネルを前記照明部の背面に接合する接合位置と、前記照明部の背面から離脱して前記支持体のみにより支持される離脱位置とに接離可能に支持したことを特徴とするセンサーライト。
【請求項２】
支持体は、照明部の背面側を支持する照明支持部と、ソーラーパネルの裏面を支持するソーラーパネル支持部と、前記照明支持部に一端を軸支し、前記ソーラーパネル支持部に他端を軸支したアームとからなり、
接合位置において前記支持体を収容する収容部を有することを特徴とする請求項１に記載のセンサーライト。
【請求項３】
収容部は、照明部の背面側から凹みにより形成されるものであって、前記収容部は前記照明部の外周面よりも内側に位置することを特徴とする請求項２に記載のセンサーライト。
【請求項４】
接合位置において、円筒状の照明部の外周面と、円筒状のソーラーパネルの外周面とが一致する一体の円筒状体となることを特徴とする請求項２または３に記載のセンサーライト。
【請求項５】
収容部は、アームが接合位置から９０度以上回動する回動域を有し、離脱位置としてアームを９０度以上回動させ、ソーラーパネル支持部を回動させてソーラーパネルを照明部の上方に位置させたことを特徴とする請求項２、３または４のいずれかに記載のセンサーライト。
【請求項６】
ソーラーパネルの裏面には外周縁よりも内周側に円環状の凹所を有することを特徴とする請求項１、２、３、４または５のいずれかに記載のセンサーライト。
【考案の詳細な説明】
【技術分野】
【０００１】
本考案は、ソーラーパネルにより蓄電可能なセンサーライトに関する考案である。
【背景技術】
【０００２】
従来から人体検知センサーを備え、該センサーにより人体を検知して照明部を点灯するセンサーライトがあった。この種のセンサーライトには、特許文献１に示すように光源の電源となる蓄電池をソーラーパネルにより蓄電可能とした独立電源型照明具がある。
【先行技術文献】
【特許文献】
【０００３】
【特許文献１】特許第４１７２７９９号公報
【考案の概要】
【考案が解決しようとする課題】
【０００４】
特許文献１などに示すセンサーライト（照明器具）はソーラーパネルと光源とを一体に設けているため、ソーラーパネルの向きと光源からの照射方向を個別に変更できず、厳しい設置条件を生じて利便性を欠くという問題があった。また、ソーラーパネルと光源とを個別に設置可能とすると、構成が複雑化したり広い設置スペースが必要になることがあった。
【０００５】
また、一般にセンサーライトは暗い位置に設置することが多く、ソーラーパネルは日光が当たる明るい位置に配置すべきであり、相反する需要がある。そのため、ソーラーパネルをセンサーライトから離れて位置させ、可動範囲を大きくして自由度を高める必要があった。一方、ソーラーパネルを完全に別体にしてしまうと見栄えが悪いことやソーラーパネルだけを棄損してしまう等の問題があった。
【０００６】
そこで、本考案は、構成を簡素に抑えつつソーラーパネルの向き及び照明部からの照射方向をそれぞれ変更可能として、設置条件の自由度を向上させたセンサーライトを提供し、これに加えてソーラーパネルだけを自由に分離させ、必要に応じて一体化するセンサーライトが求められてきた。
【課題を解決するための手段】
【０００７】
本考案のセンサーライトは、照射面とする照明部と、前記照明部の背面に位置するソーラーパネルと、センサーを有し前記照明部を回動自在に保持する本体と、前記照明部に前記ソーラーパネルを支持する支持体とからなるセンサーライトであって、前記支持体は、前記ソーラーパネルを前記照明部の背面に接合する接合位置と、前記照明部の背面から離脱して前記支持体のみにより支持される離脱位置とに接離可能に支持したことを特徴とする。
【０００８】
また、支持体は、照明部の背面側を支持する照明支持部と、ソーラーパネルの裏面を支持するソーラーパネル支持部と、前記照明支持部に一端を軸支し、前記ソーラーパネル支持部に他端を軸支したアームとからなり、接合位置において前記支持体を収容する収容部を有することが好ましい。
【０００９】
また、収容部は、照明部の背面側から凹みにより形成されるものであって、前記収容部は前記照明部の外周面よりも内側に位置することが好ましい。
【００１０】
また、接合位置において、円筒状の照明部の外周面と、円筒状のソーラーパネルの外周面とが一致する一体の円筒状体となることが好ましい。
【００１１】
また、収容部は、アームが接合位置から９０度以上回動する回動域を有し、離脱位置としてアームを９０度以上回動させ、ソーラーパネル支持部を回動させてソーラーパネルを照明部の上方に位置させたことが好ましい。
【００１２】
また、ソーラーパネルの裏面には外周縁よりも内周側に円環状の凹所を有することが好ましい。
【考案の効果】
【００１３】
請求項１に記載の考案により、ソーラーパネルを支持部により繰出して、ソーラーパネルの向きを照明部の照射方向から離脱し、独立して変更することができ、照明部の陰から出た位置などに配置して、安定してソーラーパネルにより蓄電することができる。更にソーラーパネルを照明部の上方や後方などのデットスペースに位置し、センサーライトをコンパクトな構成とすることができる。
【００１４】
請求項２に記載の考案により、ソーラーパネルを一体的な接合位置と離脱した離脱位置とをアームにより連結状態としつつソーラーパネルを自由度をもって位置させることができる。
【００１５】
請求項３に記載の考案により、接合位置で収容部に支持体が収容される。このとき支持体が外部に露出せず、外にセンサーライトを設置した場合にも風雨に晒されず、支持体を保護することが可能になる。
【００１６】
請求項４に記載の考案により、接合位置では円筒状に一体化した照明部とセンサーライトとすることができ、一体の円筒状体の外観を損なうことなく、外部に設置したときに風雨等によりソーラーパネルが破損することを防止することができる。
【００１７】
請求項５に記載の考案により、離脱位置の一態様として、センサーライトの上方にソーラーパネルを載置するように位置させることが可能になる。このように、自由度をもたせるだけでなく、ソーラーパネルを配置するにおいて最も市場の要求が高い上方に向けた状態とすることができる。
【００１８】
請求項６に記載の考案により、照明部との干渉を防止してソーラーパネルの繰出しや繰戻しを行うことができる。更に凹所に照明部の後端を当接してソーラーパネルを照明部に寄せて、照明部の首振り範囲を制限し難くすることができる。
【図面の簡単な説明】
【００１９】
【図１】本考案の実施形態のセンサーライトの正面図である。
【図２】図１の斜視図である。
【図３】照明部及び支持部の背面斜視図である。
【図４】ソーラーパネルを展開した側面図である。
【図５】ソーラーパネルの裏面図である。
【図６】凹所によりソーラーパネルを寄せた状態の説明図である。
【図７】壁面に取り付けた使用状態の一例の説明図である。
【考案を実施するための形態】
【００２０】
本考案の実施の形態について説明する。本説明において、図１の紙面上を上方、紙面下を下方、紙面手前を表側（前方）、紙面奥を裏側（後方）として説明する。
【００２１】
本実施形態にかかるセンサーライトは、図１及び図２に示すように、センサー１３を有した本体１と、ＬＥＤを光源とする照明部２と、ソーラーパネル３と、ソーラーパネル３を照明部２に連結、支持する支持体４とからなる。日中には照明部２または本体１に内蔵した蓄電部をソーラーパネル３により充電し、夜間にはこの蓄電部の電力によりセンサー１３の検知に応じて照明部２を点灯、消灯するものである。
【００２２】
本体１は所謂センサーライトの土台であって、上下方向に一定長さを有する円柱状の台である。本体１の下底面は、図７に示すように主に、壁面２０などへの取付部分としている。本体１の前方には、図１及び図２に示すように、上平面と側面と縁部分を切除して傾斜面を形成し、当該傾斜面にセンサー１３を配している。本体１の後側にはスライドスイッチ１４を有し（図４参照）、このスライドスイッチ１４の操作により照明部２の機能を消灯（検知停止）と、通常点灯と、通常点灯よりも光量を抑えた弱点灯とに切り替える。
【００２３】
また、本体１の上平面は平面視において円状となるところ、当該上平面の中心位置（円中心）から若干後方位置に接続体９を突出して有し、照明部２と接続している。接続体９は、照明接続部９ａと、本体接続部９ｂとからなり、照明接続部９ａと本体接続部９ｂとが左右方向を軸方向とする接続軸９ｃにより互いを軸支して、照明部２を前後に首振り自在としている。また、図示しないが、照明接続部９ａの上縁を照明部２の外周面下部に接続しているところ、この接続位置で上下方向を軸方向として照明部２をその軸周り（左右周りに）に回動自在としている。
【００２４】
照明部２は、前後方向に一定の長さを有する円柱状としている。照明部２は前面に凸形状の透光板１０により覆い照射面２ａを形成し、その内部にＬＥＤからなる光源（図示せず）を備えている。照明部２は光源からの光を透光板１０により広範囲に拡散して照射可能としている。
【００２５】
照明部２の背面２ｂには、図３に示すように、下方にソーラーパネル３を繰り出す際に指を挿し入れる小さな凹み２ｃと、支持体４を収容するために内部に大きな凹みを有する収容部８とを有している。小さな凹み２ｃは半円形状からなり、照明部２の下縁に形成している。なお、他の実施形態として、収容部８をソーラーパネル３側に配置するものでもよい。
【００２６】
前述のとおり収容部８は照明部２の背面２ｂから大きく凹んだ上下に長い長方形状の空間である。照明部２の背面視において背面２ｂは円形となり、背面２ｂの中心位置（円中心）の付近から若干背面２ｂの上縁付近に至るまでを収容部の上下方向としている。また、収容部８は左右に２分割して考えると、左方には上縁から垂下する板状の保護部８ａを有し、右側は背面２ｂの上縁から若干下方の部分にまで至っており、収容部８の上辺は段差を有する形状となる。後述するように、保護部８ａは、支持体４の照明支持部５上側を保護し、保護部８ａがない右方はアーム６が収容位置から９０度以上回動するように開放している。収容部８の上縁は照明部２の外周面よりも下方（内径側）に位置して、照明部２の外周側の外観に露出して風雨により破損しないよう形成している。
【００２７】
支持体４は、照明部２に接続する照明支持部５と、ソーラーパネル３の裏面３ｂに接続するソーラーパネル支持部７と、照明支持部５とソーラーパネル支持部７とを繋ぐ長尺なアーム６とからなる。収容位置では収容部８の左方上部に照明支持部５、左方下部にソーラーパネル支持部７が配置され、収容部８の右方にアーム６が配置されるようにして収容できる。当該構成により、収容状態では照明部２の背面２ｂから支持体４が突出しないようにし、ソーラーパネル３と照明部２が一体の円筒状体とすることができる。
【００２８】
照明支持部５は、照明部２との接続位置を方形状とし、ソーラーパネル３側の面を湾曲面とした部位であり、上述のとおり収容部８の左方上部に位置される。照明支持部５は厚板状とし、左端面が左右方向に隙間を有して収容部８の左内側面に対向し、右端面が収容部８の左右中央に位置し、アーム６と隣接している。照明支持部５は収容部８の底部（前底面）から突出するように形成して、先端（湾曲面）が収容部８の開口よりも内側に位置している。照明支持部５の先端部は左右に軸方向を有する回動軸４ａを介してアーム６の長手方向の一端を軸支している。
【００２９】
アーム６は照明支持部５よりも長尺な厚板状とし、長手方向の両縁を角の無い円弧形状として回動による干渉を防止している。アーム６は照明支持部５との連結部分（回動軸４ａ）を支点として収容部８の右方の領域を上下に回動自在とし、上述のとおり、９０度以上回動可能である。アーム６の左右方向の寸法は照明支持部５の左右方向の寸法と略同じとしている。
【００３０】
アーム６はその長手方向を上下方向に沿って収容部８に配置することにより収容位置となり、収容部８内の右側に収まる。収容位置においてアーム６は右端面が左右方向に隙間を有して収容部８の右内側面に対向している。アーム６は左端面が収容部８の左右中央に位置し、照明支持部５とソーラーパネル支持部７とに隣接する。
【００３１】
アーム６は収容位置から長手方向の他端側を最も上方に位置するように回動すると、長手方向が前後方向に沿った姿勢（収容位置から９０度）よりも若干上方向きに位置するように約１００度まで回動できる。回動状態で収容部８の上辺に接触して係止される。アーム６の長手方向の他端は左右に軸方向を有する回動軸４ｂを介してソーラーパネル支持部７を軸支している。
【００３２】
ソーラーパネル支持部７は、ソーラーパネル３との接続位置を方形状とし、照明部２側の面を湾曲面とした部位であり、上述のとおり収容状態では収容部８の左方下部に位置され、照明接続部５と対向する位置で略同一の形態となる。接続部分はソーラーパネル３の裏面３ｂ（前面）から突出して形成され（図４参照）、先端部（湾曲面）が回動軸４ｂによりアーム６に軸支され、上下に回動自在としている。収容位置ではソーラーパネル支持部７はアーム６の長手方向と並列する姿勢でアーム６の左方下側に収まり、アーム６を上方に回動して繰り出した状態において並列する姿勢から直行する姿勢（９０度）にまで回動する。
【００３３】
ソーラーパネル支持部７は収容位置において左端面が左右方向に隙間を有して収容部８の左内側面に対向し、右端面が収容部８の左右中央に位置している。更にソーラーパネル支持部７は収容位置において先端部の右端面がアーム６の長手方向の他端部の左端面に対向して軸支される。
【００３４】
ソーラーパネル３は、図４及び図５に示すように、照明部２と略同じ直径を有する円板状として、円板の表面３ａ（後面）を受光面とするパネル体を有している。ソーラーパネル３は支持体４を収容部８に収容した状態で照明部２の背面２ｂを覆うように背面２ｂに密着して接合位置となり、同じ直径及び中心軸の外周面を有することで照明部２と共に一体の円筒状体となる。更に、ソーラーパネル３は支持体４のアーム６により繰出して裏面３ｂを照明部２の背面２ｂから離脱させ支持体４のアーム６のみに支持された離脱位置に位置させることができる。例えば離脱位置の一つとして図４に示すように、ソーラーパネル支持部７を回動させながらアーム６を９０度回動して収容部８から繰り出すと、照明部２の上方にソーラーパネル３を載置するようにすることができる。
【００３５】
また、ソーラーパネル３は、図５に示すように、裏面３ｂの外周縁よりも内周部分に、円環状に凹む凹所１１を有している。裏面３ｂの外周縁の内周端（凹所１１の外周縁）は支持体４を収容した状態で収容部８の上縁よりも内周側に位置して、ソーラーパネル３の裏面３ｂを安定して照明部２の背面２ｂに当接することができる。このような使用例は、軒先や玄関先などの野外の壁面２０に設置したときに重要な効果を奏する。つまり、野外に設置したときソーラーパネル３は風雨に晒されることになるが、降雨等の諸条件下ではソーラーパネル３の設置位置がズレるという問題があった。本実施形態のように、裏面３ｂの凹所１１に照明部２の縁を係合するようにすると、降雨や降雪条件においても、ソーラーパネル３の設置位置がズレずに傾斜姿勢を保持することが可能になる。
【００３６】
また、この凹所１１により、支持体４によるアーム６の繰出しや繰戻しの際にソーラーパネル３の裏面３ｂと照明部２の後縁に干渉し難くして、ソーラーパネル３の位置を自由にしている。例えばソーラーパネル支持部７を収容した状態の角度に姿勢を維持して収容した状態からアーム６を照明支持部５に対してのみ回動しても、裏面３ｂが照明部２の後縁に干渉せずにソーラーパネル３を照明部２の上方に載置するように動かすことができる。また図６に示すように、ソーラーパネル３を照明部２に寄せて配置することもできる。
【００３７】
更にソーラーパネル３の裏面３ｂは凹所１１よりも内周側の円柱部分３ｃを外周側よりも突出量を小さくしている。凹所１１は円環状の外周面及び内周面を底側に向かう傾斜面として、照明部２の後縁に接触しても滑らかにずらして破損を防止している。
【符号の説明】
【００３８】
１…本体、２…照明部、３…ソーラーパネル、４…支持体、４ａ、４ｂ…回動軸、５…照明支持部、６…アーム、７…ソーラーパネル支持部、８…収容部、９…接続部、９ａ…照明接続部、９ｂ…本体接続部、９ｃ…接続軸、１０…透光板、１１…凹所、１３…センサー、１４…スライドスイッチ、２ａ…照射面、２ｂ…背面、２ｃ…凹み、３ａ…表面、３ｂ…裏面、３ｃ…円柱部分。
【図１】
0003225475.tif 000003
【図２】
0003225475.tif 000004
【図３】
0003225475.tif 000005
【図４】
0003225475.tif 000006
【図５】
0003225475.tif 000007
【図６】
0003225475.tif 000008
【図７】
0003225475.tif 000009